(57)【要約】      （修正有）【課題】折り畳みを容易化するラップラウンドケースを提供する。【解決手段】底面板１０と、天面板１１と、第１・第２側面板１２Ａ，１２Ｂと、傾斜する第１・第２面取り部１３Ａ，１３Ｂとを連設して内容物を包み込み、つま面側に設けられる側面フラップ１５Ａ，１５Ｂと平面フラップ１６Ａ，１６Ｂとを貼り合せて封緘するラップラウンドケース１であって、第１・第２側面板は、流れ方向に延びる上下一対の第１・第２引裂線２０Ａ，２０Ｂを含み、下側の第１・第２引裂線は、第１・第２側面板を折曲させる第１・第２折畳み線として設定され、第１・第２折畳み線は、下側周長と上側周長とを等しくする位置に形成されている。【選択図】図１
0003207206.tif 000002
【実用新案登録請求の範囲】
【請求項１】
対向する底面板（１０）および天面板（１１）と、対向する第１側面板（１２Ａ）および第２側面板（１２Ｂ）と、前記第１側面板と前記第２側面板の少なくとも一方から前記天面板に向けて内側に傾斜する少なくとも１つの面取り部（１３Ａ，１３Ｂ）とを連設して内容物（Ｃ）を包み込み、前記第１側面板および前記第２側面板から延出する側面フラップ（１５Ａ，１５Ｂ）と、前記底面板および前記天面板から延出する平面フラップ（１６Ａ，１６Ｂ）とを貼り合せて封緘するラップラウンドケース（１）であって、
前記第１側面板は、連設方向に直交する延出方向に沿って前記側面フラップまで延びる開封用の上下一対の第１引裂線（２０Ａ）を含み、
前記第２側面板は、前記延出方向に沿って前記側面フラップまで延びる開封用の上下一対の第２引裂線（２０Ｂ）を含み、
前記上下一対の第１引裂線の何れか一方は、前記第１側面板を折曲させる第１折畳み線（３０Ａ）として設定され、
前記上下一対の第２引裂線の何れか一方は、前記第２側面板を折曲させる第２折畳み線（３０Ｂ）として設定され、
前記第１折畳み線および前記第２折畳み線は、前記第１折畳み線から前記底面板を経由して前記第２折畳み線までを結ぶ下側周長（３２Ｄ）と、前記第１折畳み線から前記面取り部および前記天面板を経由して前記第２折畳み線までを結ぶ上側周長（３２Ｕ）とを等しくする位置に形成されていることを特徴とするラップラウンドケース。
【請求項２】
前記側面フラップの前記延出方向両端部には、前記第１折畳み線および前記第２折畳み線に対応する位置に切欠き部（３１）が形成されていることを特徴とする請求項１に記載のラップラウンドケース。
【請求項３】
前記底面板、前記天面板、前記第１側面板、前記第２側面板および前記面取り部は、それぞれ、中しん（２ａ）の表裏両面に表ライナー（２ｂ）と裏ライナー（２ｃ）とを貼り合せた段ボールで構成され、
前記第１引裂線および前記第２引裂線は、それぞれ、前記裏ライナーを切断したライナーカットで構成されることを特徴とする請求項１または２に記載のラップラウンドケース。
【考案の詳細な説明】
【技術分野】
【０００１】
本考案は、ラップラウンドケースに関する。
【背景技術】
【０００２】
飲料入りの缶やペットボトル等の内容物を包み込むように封緘するラップラウンドケースが知られている。
【０００３】
例えば、特許文献１に記載のラップラウンド形式の外箱は、連なって設けられた底板、側板および天板を折り曲げて四角形断面の角筒状に形成される。この外箱は、妻板形成用端片および押えフラップを折り曲げ、妻板形成用端片に押えフラップを貼り付けることで封緘される。底板には、長手方向に沿ってカットテープが貼り付けられている。底板の長手方向両端部には、二等辺三角形状の折曲補助線（罫線）が形成されている。天板と押えフラップとの境には、切り離し容易な開封用ミシン孔が刻み入れられている。
【先行技術文献】
【特許文献】
【０００４】
【特許文献１】実開昭６２−１９１６２１号公報
【考案の概要】
【考案が解決しようとする課題】
【０００５】
ところで、内容物が取り出されて空になった外箱は、解体され、扁平に折り畳まれて廃棄されることが多い。上記した外箱を廃棄する場合、カットテープを引いて底板を分断し、押えフラップ（つま面）を内側に押し込む。すると、分断された底板は、折曲補助線に沿って折れ、略台形状に折り重なる。しかしながら、上記した外箱では、折り畳むことのみを目的としてカットテープや折曲補助線（罫線）を設ける必要があった。このため、外箱の強度の低下や製函工程の複雑化等の悪影響を招く虞があった。
【０００６】
上記のような四角筒状の外箱は、互いに対向する板（面）が同一長さであるため、容易に略扁平に折り畳むことができる。一方で、近年、ラップラウンドケースは、上部をテーパー状に形成した缶を収容するために、六角形断面の多角筒状に形成されることがある。このような六角筒状のラップラウンドケースは、底面板と天面板との長さが異なるため、四角筒状の外箱のように扁平に折り畳むことが困難であった。
【０００７】
本考案は上記した課題を解決すべく、折り畳みを容易化するラップラウンドケースを提供する。
【課題を解決するための手段】
【０００８】
上記した目的を達成するため、本考案は、対向する底面板および天面板と、対向する第１側面板および第２側面板と、前記第１側面板と前記第２側面板の少なくとも一方から前記天面板に向けて内側に傾斜する少なくとも１つの面取り部とを連設して内容物を包み込み、前記第１側面板および前記第２側面板から延出する側面フラップと、前記底面板および前記天面板から延出する平面フラップとを貼り合せて封緘するラップラウンドケースであって、前記第１側面板は、連設方向に直交する延出方向に沿って前記側面フラップまで延びる開封用の上下一対の第１引裂線を含み、前記第２側面板は、前記延出方向に沿って前記側面フラップまで延びる開封用の上下一対の第２引裂線を含み、前記上下一対の第１引裂線の何れか一方は、前記第１側面板を折曲させる第１折畳み線として設定され、前記上下一対の第２引裂線の何れか一方は、前記第２側面板を折曲させる第２折畳み線として設定され、前記第１折畳み線および前記第２折畳み線は、前記第１折畳み線から前記底面板を経由して前記第２折畳み線までを結ぶ下側周長と、前記第１折畳み線から前記面取り部および前記天面板を経由して前記第２折畳み線までを結ぶ上側周長とを等しくする位置に形成されている。
【０００９】
この場合、前記側面フラップの前記延出方向両端部には、前記第１折畳み線および前記第２折畳み線に対応する位置に切欠き部が形成されていることが好ましい。
【００１０】
この場合、前記底面板、前記天面板、前記第１側面板、前記第２側面板および前記面取り部は、それぞれ、中しんの表裏両面に表ライナーと裏ライナーとを貼り合せた段ボールで構成され、前記第１引裂線および前記第２引裂線は、それぞれ、前記裏ライナーを切断したライナーカットで構成されることが好ましい。
【考案の効果】
【００１１】
本考案によれば、多角筒状に形成されたラップラウンドケースを容易に折り畳むことができる。
【図面の簡単な説明】
【００１２】
【図１】本考案の一実施形態に係るラップラウンドケースを示す斜視図である。
【図２】本考案の一実施形態に係るラップラウンドケースのブランクを示す平面図である。
【図３】本考案の一実施形態に係るラップラウンドケースのつま面を示す側面図である。
【図４】本考案の一実施形態に係るラップラウンドケースの解体過程を示す斜視図である。
【図５】本考案の一実施形態に係るラップラウンドケースを扁平に折り畳んだ状態を示す斜視図である。
【図６】本考案の一実施形態の応用例に係るラップラウンドケースのブランクを示す平面図である。
【図７】本考案の一実施形態の応用例に係るラップラウンドケースを扁平に折り畳んだ状態を示す斜視図である。
【図８】本考案の一実施形態の応用例に係るラップラウンドケースの重合ロックを示す斜視図である。
【考案を実施するための形態】
【００１３】
以下、添付の図面を参照しつつ、本考案の好適な実施形態について説明する。
【００１４】
図１および図２を参照して、本実施形態に係るラップラウンドケース１について説明する。図１はラップラウンドケース１を示す斜視図である。図２はラップラウンドケース１のブランク２を示す平面図である。
【００１５】
図１に示すように、ラップラウンドケース１は、例えば、上部をテーパー状に形成した缶Ｃ（内容物）を包み込むように封緘されるラップラウンド式の包装箱である。ラップラウンドケース１は、上部を縮径させた缶Ｃを収容するために、つま面から見て六角形断面の多角筒状（六角筒状）に形成されている。
【００１６】
図２に示すように、ラップラウンドケース１は、一枚の紙製の段ボールを紙器打抜装置で打ち抜いたブランク２を組み立てることで形成される。段ボールは、例えば、波状の中しん２ａの表裏両面に表ライナー２ｂと裏ライナー２ｃ（図１参照）とを貼り合せた周知のものである。なお、図２は、表ライナー２ｂ側（ラップラウンドケース１の外面側）を示している。
【００１７】
ブランク２は、継代片１４と、第１面取り部１３Ａと、第１側面板１２Ａと、底面板１０と、第２側面板１２Ｂと、第２面取り部１３Ｂと、天面板１１とを順番に連ねて形成されている。各板等１０〜１４は、段ボールの中しん２ａと平行な段方向に連設されている。各板等１０〜１４は、それぞれ、流れ方向（段方向に直交する方向）に同一幅を有する略矩形板状に形成されている。なお、請求項で言う「連設方向」とは「段方向」を指し、請求項で言う「延出方向」とは「流れ方向」を指す。
【００１８】
天面板１１は、底面板１０よりも段方向の寸法（長さ）が短くなるように形成されている。第１側面板１２Ａと第２側面板１２Ｂとは、段方向で同じ寸法に形成されている。第１面取り部１３Ａと第２面取り部１３Ｂとは、段方向で同じ寸法に形成されている。
【００１９】
第１側面板１２Ａの流れ方向の両端には側面フラップ１５Ａが連設され、第２側面板１２Ｂの流れ方向両端には側面フラップ１５Ｂが連設されている。各側面フラップ１５Ａは第１面取り部１３Ａ側に延設され、各側面フラップ１５Ｂは第２面取り部１３Ｂ側に延設されている。各面取り部１３Ａ，１３Ｂに近接する各側面フラップ１５Ａ，１５Ｂの角部ＣＡ，ＣＢは、斜めに湾曲するように切断されている。底面板１０の流れ方向両端には平面フラップ１６Ａが連設され、天面板１１の流れ方向両端には平面フラップ１６Ｂが連設されている。
【００２０】
各板等１０〜１４および各フラップ１５Ａ，１５Ｂ，１６Ａ，１６Ｂの境界部分には、裏ライナー２ｃ側から厚み方向に線状に潰された罫線１７が形成されている（図２の一点鎖線参照）。各罫線１７は、各板等１０〜１４および各フラップ１５Ａ，１５Ｂ，１６Ａ，１６Ｂを折り曲げるために形成されている。
【００２１】
第１側面板１２Ａは、流れ方向に沿って側面フラップ１５Ａまで延びる開封用の上下一対の第１引裂線２０Ａを含んでいる。同様に、第２側面板１２Ｂは、流れ方向に沿って側面フラップ１５Ｂまで延びる開封用の上下一対の第２引裂線２０Ｂを含んでいる。第１引裂線２０Ａおよび第２引裂線２０Ｂは、それぞれ、裏ライナー２ｃを線状に切断したライナーカットで構成されている。２本の第１引裂線２０Ａおよび２本の第２引裂線２０Ｂは、それぞれ、流れ方向に沿って平行に形成されている。各側面板１２Ａ，１２Ｂの流れ方向略中央には、段ボールを厚み方向に切り込んで一対の摘み部２１Ａ，２１Ｂが形成されている。なお、各引裂線２０Ａ，２０Ｂは、ライナーカットに限らず、段ボールを厚み方向に切り込んだ切刃線を間欠的に設けた破断線等でもよい。
【００２２】
次に、図１を参照して、ラップラウンドケース１に缶Ｃを包装する場合について説明する。つまり、ブランク２の組み立てについて説明する。
【００２３】
まず、集積した複数（例えば２４本）の缶Ｃを底面板１０に載置する。続いて、第１側面板１２Ａおよび第２側面板１２Ｂを起立姿勢になるように折り曲げる。第１面取り部１３Ａおよび第２面取り部１３Ｂを缶Ｃのテーパー部分に沿わせるように折り曲げる。天面板１１および継代片１４を缶Ｃの上面を覆うように折り曲げ、天面板１１を継代片１４に貼り合せる。この状態で、複数の缶Ｃは、対向する底面板１０および天面板１１と、対向する第１側面板１２Ａおよび第２側面板１２Ｂと、第１面取り部１３Ａおよび第２面取り部１３Ｂとによって包み込まれる。また、第１面取り部１３Ａおよび第２面取り部１３Ｂは、第１側面板１２Ａおよび第２側面板１２Ｂから天面板１１に向けて内側に傾斜している。
【００２４】
続いて、各側面フラップ１５Ａ，１５Ｂを折り曲げ、その後、各平面フラップ１６Ａ，１６Ｂを折り曲げて各側面フラップ１５Ａ，１５Ｂに貼り合せる。以上によって、ラップラウンドケース１が封緘される。
【００２５】
ラップラウンドケース１を開封する場合、作業者は、把持した一対の摘み部２１Ａ（２１Ｂ）を流れ方向両外側に引っ張る。すると、各側面板１２Ａ，１２Ｂは、各第１引裂線２０Ａおよび各第２引裂線２０Ｂに沿って切断される。これにより、ラップラウンドケース１を上下に分割（開封）することができる。
【００２６】
他にも、側面フラップ１５Ａ，１５Ｂに対して平面フラップ１６Ａ，１６Ｂを引き剥がし、つま面を開放して缶Ｃを取り出すこともある。この場合、空になったラップラウンドケース１は、扁平に折り畳まれた状態（潰された状態）で廃棄されることが多い。一般的に、六角筒状のラップラウンドケース１は、底面板１０と天面板１１との寸法が異なるため、扁平に折り畳むことが難しい。そこで、本実施形態に係るラップラウンドケース１には、容易に扁平に折り畳むための構成が備えられている。
【００２７】
以下、図２および図３を参照して、ラップラウンドケース１を容易に折り畳むための構成（折畳み構造）について説明する。図３はラップラウンドケース１のつま面を示す側面図である。
【００２８】
ラップラウンドケース１では、第１側面板１２Ａと第２側面板１２Ｂとが外側に凸となるように折曲可能に構成されている。図２および図３に示すように、ラップラウンドケース１の折畳み構造は、下側の第１引裂線２０Ａと、下側の第２引裂線２０Ｂと、各側面フラップ１５Ａ，１５Ｂに欠設される４つの切欠き部３１と、を含んでいる。
【００２９】
下側の第１引裂線２０Ａは、第１側面板１２Ａを折曲させる第１折畳み線３０Ａとして設定されている。これと同様に、下側の第２引裂線２０Ｂは、第２側面板１２Ｂを折曲させる第２折畳み線３０Ｂとして設定されている。
【００３０】
図３に示すように、第１折畳み線３０Ａおよび第２折畳み線３０Ｂは、第１折畳み線３０Ａから底面板１０を経由して第２折畳み線３０Ｂまでを結ぶ下側周長３２Ｄと、第１折畳み線３０Ａから第１面取り部１３Ａと天面板１１と第２面取り部１３Ｂとを経由して第２折畳み線３０Ｂまでを結ぶ上側周長３２Ｕとを等しくする位置に形成されている。つまり、下側周長３２Ｄと上側周長３２Ｕとは、それぞれ、つま面側から見て六角形の外周の半周分に相当する長さに形成されている。
【００３１】
図２に示すように、４つの切欠き部３１は、それぞれ、側面フラップ１５Ａ，１５Ｂの流れ方向両端部で、第１折畳み線３０Ａおよび第２折畳み線３０Ｂに対応する位置に形成されている。各切欠き部３１は、側面フラップ１５Ａ，１５Ｂの端部から内側に向けて三角形状（Ｖ字状）に凹設されている。なお、各切欠き部３１の形状は、三角形状に限らず、Ｕ字状や矩形状に形成されてもよいし、切刃線であってもよい。
【００３２】
次に、図４および図５を参照して、空になったラップラウンドケース１を折り畳む手順について説明する。図４はラップラウンドケース１の解体過程を示す斜視図である。図５はラップラウンドケース１を扁平に折り畳んだ状態を示す斜視図である。
【００３３】
図４に示すように、まず、作業者は、側面フラップ１５Ａ，１５Ｂと平面フラップ１６Ａ，１６Ｂとの貼り合せを解除する。続いて、作業者は、各切欠き部３１を目印にして、各側面板１２Ａ，１２Ｂおよび各側面フラップ１５Ａ，１５Ｂを外側に押し広げながら、天面板１１を下方に押圧する。
【００３４】
すると、図５に示すように、第１側面板１２Ａ（側面フラップ１５Ａ）は第１折畳み線３０Ａで外側に折れ曲がり、第２側面板１２Ｂ（側面フラップ１５Ｂ）は第２折畳み線３０Ｂで外側に折れ曲がる。上記したように、第１折畳み線３０Ａおよび第２折畳み線３０Ｂは、それぞれ、ラップラウンドケース１を段方向に１周する長さを２等分する位置に形成されている。したがって、２つの側面板１２Ａ，１２Ｂを２つの折畳み線３０Ａ，３０Ｂに沿って屈曲させると、底面板１０側の長さ（下側周長３２Ｄ）と天面板１１側の長さ（上側周長３２Ｕ）とは同じ長さになる。これにより、適正且つ容易にラップラウンドケース１を扁平に折り畳むことができる。
【００３５】
以上説明した本実施形態に係るラップラウンドケース１によれば、開封用に設けられた各引裂線２０Ａ，２０Ｂの一部を利用して各側面板１２Ａ，１２Ｂを屈曲させることで、ラップラウンドケース１を扁平に折り畳むことができる。また、ラップラウンドケース１を折り畳むために切刃線や罫線等の折畳み専用線を別途追加する必要がないため、折畳み専用線の追加による強度の低下等の不具合を抑制することができる。
【００３６】
以上説明した本実施形態に係るラップラウンドケース１によれば、各切欠き部３１は、第１折畳み線３０Ａおよび第２折畳み線３０Ｂの位置を指標する目印として機能する。また、各切欠き部３１を設けることで各側面フラップ１５Ａ，１５Ｂの剛性が僅かに下がるため、各側面板１２Ａ，１２Ｂおよび各側面フラップ１５Ａ，１５Ｂを容易に折り曲げることができる。これにより、作業者が容易に折り曲げ位置を認識することができると共に、折畳み作業（廃棄作業）を円滑に行うことができる。
【００３７】
次に、図６ないし図８を参照して、本実施形態の応用例に係るラップラウンドケース４０について説明する。図６はラップラウンドケース４０のブランク４１を示す平面図である。図７はラップラウンドケース４０を扁平に折り畳んだ状態を示す斜視図である。図８は重合ロック４２を示す斜視図である。なお、上記したラップラウンドケース１と同様の構成については、同一の符号を付し、その説明は省略する。
【００３８】
図６に示すように、応用例に係るラップラウンドケース４０のブランク４１は、底面板１０と天面板１１とを重ね合せた状態を保持する重合ロック４２を有している。重合ロック４２は、底面板１０に形成される貫穴４３と、天面板１１に形成される係止片４４と、を含んでいる。貫穴４３および係止片４４は、それぞれ、段ボールを厚み方向に切り込むことで形成されている。
【００３９】
貫穴４３は、平面から見て、流れ方向一方に傾斜辺を有する略六角形の開口である。貫穴４３は、縁部４３ｃから内側に延出する一対の戻止片４３ａと押圧片４３ｂとを含んでいる。一対の戻止片４３ａは、貫穴４３の段方向両側の縁部４３ｃに連接されている。押圧片４３ｂは、貫穴４３の流れ方向一方の縁部４３ｃに連接されている。なお、未使用のブランク４１では、一対の戻止片４３ａと押圧片４３ｂとは、貫穴４３を塞いでいる。
【００４０】
係止片４４は、平面から見て、流れ方向他方に傾斜辺を有する略六角形に形成されている。係止片４４は、流れ方向一方を基端４４ｃとして流れ方向他方に延出している。係止片４４は、貫穴４３よりも段方向に長く形成されている。詳細には、係止片４４は、Ｖ字状の斜折線４４ａから外側に張り出す一対の張出部４４ｂを含んでいる。Ｖ字状の斜折線４４ａは、基端４４ｃから先端に向けて間隔が狭くなるように形成されている。斜折線４４ａは、裏ライナー２ｃ側から厚み方向に線状に潰すことで形成されている。
【００４１】
次に、空になったラップラウンドケース４０を折り畳む手順について説明する。図７に示すように、ラップラウンドケース４０は、既に説明したラップラウンドケース１と同様の手順で、扁平に折り畳まれる。次に、作業者は、天面板１１と底面板１０とを重ね合せた状態で、係止片４４を折曲させて貫穴４３に押し込む。詳細には、図８に示すように、係止片４４は、一対の張出部４４ｂを斜折線４４ａに沿って基端４４ｃの折曲方向の逆方向に折曲させながら一対の戻止片４３ａを開いて貫穴４３に押し込まれる。
【００４２】
上記した貫穴４３の押圧片４３ｂは、天面板１１と底面板１０とを重ね合せた状態で、係止片４４の基端４４ｃに対応する位置に形成されている。貫穴４３に没入した係止片４４は、一対の戻止片４３ａと押圧片４３ｂとの間に挟まれる。そして、この係止片４４は、一対の張出部４４ｂを貫穴４３の縁部４３ｃに係合させる。これにより、ラップラウンドケース４０は折り畳んだ状態に保持される。
【００４３】
以上説明した応用例に係るラップラウンドケース４０によれば、係止片４４は斜折線４４ａに沿って略Ｖ字状に屈曲するため、段方向に張り出す一対の張出部４４ｂを円滑に貫穴４３に押し込むことができる。また、一対の戻止片４３ａは、貫穴４３に押し込まれた係止片４４の戻りを防止する。さらに、一対の戻止片４３ａと押圧片４３ｂとの間に係止片４４を挟むことで、貫穴４３からの係止片４４の離脱を抑制することができる。したがって、係止片４４を貫穴４３に押し込むことで、天面板１１を底面板１０に折り重ねた状態が保持される。これにより、扁平に折り畳んだラップラウンドケース４０の保管場所の省スペース化を図ることができる。
【００４４】
なお、応用例に係るラップラウンドケース４０では、貫穴４３が底面板１０に形成され、係止片４４が天面板１１に形成されていたが、本考案はこれに限定されない。貫穴４３が天面板１１に形成され、係止片４４が底面板１０に形成されてもよい。また、重合ロック４２は、貫穴４３と係止片４４とを含んでいたが、本考案はこれに限定されない。図示は省略するが、他の重合ロックの構成として、天面板１１（底面板１０）に形成した圧入片を、底面板１０（天面板１１）に形成した切込み部に圧入するようにしてもよい。つまり、重合ロックは、底面板１０と天面板１１とを重ね合せた状態を保持可能であればよく、様々な係合構造を採用することができる。さらに、重合ロックとして、両面テープや接着剤等を採用してもよい。
【００４５】
なお、本実施形態（応用例も含む。以下同じ。）に係るラップラウンドケース１，４０は、２つの面取り部１３Ａ，１３Ｂを有して六角筒状に形成されていたが、本考案はこれに限定されない。図示は省略するが、例えば、変形例としてのラップラウンドケースは、つま面から見て五角形断面の多角筒状（五角筒状）に形成されてもよい。すなわち、少なくとも１つの面取り部が、第１側面板１２Ａと第２側面板１２Ｂの少なくとも一方に連設されていればよい。
【００４６】
なお、本実施形態に係るラップラウンドケース１，４０では、下側の第１引裂線２０Ａが第１折畳み線３０Ａとして設定されていたが、本考案はこれに限定されない。上側の第１引裂線２０Ａが第１折畳み線３０Ａとして設定されてもよい。これと同様に、上側の第２引裂線２０Ｂが第２折畳み線３０Ｂとして設定されてもよい。
【００４７】
なお、本実施形態に係るラップラウンドケース１，４０は、一例として、紙製の段ボールで形成されていたが、本考案はこれに限定されない。例えば、紙製の段ボールに代えて、樹脂製の段ボールを用いてもよいし、単一の厚紙や樹脂シート等を用いてもよい。また、本実施形態に係るラップラウンドケース１，４０は、継代片１４に対して天面板１１を張り付ける所謂内グルータイプを採用していたが、これに限らず、継代片を面取り部等に貼り付ける所謂外グルータイプを採用してもよい。また、本実施形態に係るラップラウンドケース１は、内容物として缶Ｃを収容していたが、これに限らず、例えば、ペットボトル等を収容してもよい。
【００４８】
なお、上記実施形態の説明は、本考案に係るラップラウンドケースにおける一態様を示すものであって、本考案の技術範囲は、上記実施形態に限定されるものではない。上記実施形態における構成要素は、適宜、既存の構成要素等との置き換えや組合せが可能であって、上記実施形態の記載をもって、実用新案登録請求の範囲に記載された考案の内容を限定するものではない。
【符号の説明】
【００４９】
１，４０    ラップラウンドケース
２ａ    中しん
２ｂ    表ライナー
２ｃ    裏ライナー
１０    底面板
１１    天面板
１２Ａ  第１側面板
１２Ｂ  第２側面板
１３Ａ  第１面取り部
１３Ｂ  第２面取り部
１５Ａ，１５Ｂ  側面フラップ
１６Ａ，１６Ｂ  平面フラップ
２０Ａ  第１引裂線
２０Ｂ  第２引裂線
３０Ａ  第１折畳み線
３０Ｂ  第２折畳み線
３１    切欠き部
３２Ｄ  下側周長
３２Ｕ  上側周長
Ｃ    缶（内容物）
【図１】
0003207206.tif 000003
【図２】
0003207206.tif 000004
【図３】
0003207206.tif 000005
【図４】
0003207206.tif 000006
【図５】
0003207206.tif 000007
【図６】
0003207206.tif 000008
【図７】
0003207206.tif 000009
【図８】
0003207206.tif 000010